(57)【要約】      （修正有）【課題】フレキシブルな使用可能性を与えるレフレクターランプの提案。【解決手段】反射鏡開口部は、リング９によって把持され、このリング９の上に、湾曲部材４を載置している。この湾曲部材４の延長部内において、更に別の湾曲部材１０が、この反射鏡の外側シェルの周囲に張り渡され、湾曲部材４および１０は、照明手段の電力供給のための必要な電気的な電線を案内し、湾曲部材４は、この湾曲部材の自由な端部において、ケーブル出口を備えており、このケーブル出口から、この電線が、ロッド状の本体５の背面側の端部内へと、発光ダイオードと接続するために導かれ、湾曲部材１０がこのソケット７と結合されており、電線供給は、このソケット７からこの湾曲部材１０内へと行われ、レフレクターランプ１は、それに加えて、散光を回避するために、この照明手段３の前に設けられている集光レンズ１１を有する。【選択図】図１
0003111922.tif 000002
【実用新案登録請求の範囲】
【請求項１】
反射鏡（２）、および、軸線方向に、反射鏡軸線に関して調節可能な照明手段（３）を有する、レフレクターランプ（１）において、
照明手段（３）が、反射鏡カバーの外側に設けられており、且つ、少なくとも１つの湾曲部材（４）を介して、反射鏡（２）と結合されていることを特徴とするレフレクターランプ。
【請求項２】
照明手段（３）は、ロッド状の本体（５）内において設けられており、このロッド状の本体が、湾曲部材アームの自由な端部において設けられた環状保持部（６）内において、長手軸線方向に位置調節可能に案内されていることを特徴とする請求項１に記載のレフレクターランプ。
【請求項３】
長手軸線方向に位置調節可能な案内は、ねじ結合を介して行われるように構成されていることを特徴とする請求項２に記載のレフレクターランプ。
【請求項４】
環状保持部（６）は、湾曲部材（４）と、関節部を介して回転可能、及び／または旋回可能に結合されていることを特徴とする請求項１から３のいずれか一つに記載のレフレクターランプ。
【請求項５】
照明手段（３）は、発光ダイオードであることを特徴とする請求項１から４のいずれか一つに記載のレフレクターランプ。
【請求項６】
反射鏡（２）は、凹面鏡であることを特徴とする請求項１から５のいずれか一つに記載のレフレクターランプ。
【請求項７】
反射鏡（２）は、ピン状接触子（８）を有するソケット（７）を備えていることを特徴とする請求項１から６のいずれか一つに記載のレフレクターランプ。
【請求項８】
反射鏡（２）は、湾曲部材（１０）によって抱きかかえられており、この湾曲部材が、結合部を、ソケット（７）に対して備えていることを特徴とする請求項１から７のいずれか一つに記載のレフレクターランプ。
【請求項９】
湾曲部材（１０）、並びに湾曲部材（４）は、電線を、照明手段（３）の電力供給のために案内することを特徴とする請求項８に記載のレフレクターランプ。
【請求項１０】
反射鏡（２）は、この反射鏡の開口部、またはこの反射鏡のソケット（７）の領域内において、湾曲部材（４）もしくは湾曲部材（１０）の更に別の環状保持部内において、長手軸線方向に位置調節可能に案内されていることを特徴とする請求項１から７のいずれか一つに記載のレフレクターランプ。
【請求項１１】
長手軸線方向に位置調節可能な案内は、ねじ結合を介して行われるように構成されていることを特徴とする請求項１０に記載のレフレクターランプ。
【請求項１２】
照明手段（３）の前に、集光レンズ（１１）が設けられていることを特徴とする請求項１から１１のいずれか一つに記載のレフレクターランプ。
【考案の詳細な説明】
【技術分野】
【０００１】
本考案は、反射鏡、および、軸線方向に、反射鏡軸線に関して位置調節可能な照明手段を有する、レフレクターランプに関する。
【背景技術】
【０００２】
この様式のレフレクターランプは、スイス連邦特許第１４６９８７Ａ号明細書(特許文献１)に記載されている。白熱電球の長手軸線方向の位置調節は、移動可能に、反射鏡首部内において支承された白熱電球ねじ込みソケットによって可能とされており、その際、電球ねじ込みソケットと反射鏡首部との間の結合が、曲線状案内部、およびピンから形成されている。この電球ねじ込みソケットと結合された手動レバーの外への旋回によって、この電球ねじ込みソケットは、軸線方向に移動され、且つ従って、この電球が集光される。
【０００３】
スイス連邦特許第２２１１０９Ａ号明細書(特許文献２)において、同様に、集光状態の変化のための装置を有するレフレクターランプが記載されている。前述の刊行物とは異なり、その際に、白熱電球の位置ではなくて、むしろ反射鏡の位置が変えられる。この反射鏡を支持するキャップは、回転可能に、ケーシング接続用パイプの上で装着されており、このケーシング接続用パイプに、白熱電球ねじ込みソケットが固定されており、従って、このキャップの回転によって、この反射鏡は、この白熱電球の位置に関連して、長手軸線方向の位置調節が行われる。
【特許文献１】スイス連邦特許第１４６９８７Ａ号明細書
【特許文献２】スイス連邦特許第２２１１０９Ａ号明細書
【考案の開示】
【考案が解決しようとする課題】
【０００４】
従って、本考案の課題は、冒頭に記載した様式の、遥かにフレキシブルな使用可能性を与えるレフレクターランプを提案することである。
【課題を解決するための手段】
【０００５】
この課題は、請求項１に記載された特徴を有するレフレクターランプによって解決される。本考案の有利な実施形態は、従属請求項に記載されている。
【考案の効果】
【０００６】
本考案により、照明手段が、反射鏡カバーの外側に設けられており、且つ、少なくとも１つの湾曲部材を介して、反射鏡と結合されている。有利には、この照明手段は、ロッド状の本体内において設けられており、このロッド状の本体が、湾曲部材アームの自由な端部において設けられた環状保持部内において、長手軸線方向に位置調節可能に案内されている。フィリグランを施した（filigranen）構造様式の利点のために、照明手段として、発光ダイオードの使用が有利である。
【０００７】
湾曲部材アームの環状保持部内における、ロッド状の本体の長手軸線方向の案内は、有利には、ねじ結合を介して行われる。このロッド状の本体の回転によって、反射鏡に対する、このロッド状の本体内に設けられた発光ダイオードの間隔は無段階に調節可能である。同様に可能な、単に摩擦結合だけを基礎とする結合に比して、このねじ結合は、この環状保持部内におけるロッド状の本体の制御された案内の、および従って、この照明手段の精確な整向の利点を備えている。
【０００８】
他の実施形態において、ロッド状の本体は、締込み結合を介して、この湾曲部材の環状保持部内において保持される。このロッド状の本体の外套部の係止段部、または適当な溝成形部は、それぞれに予め与えられた段部内における、長手軸線方向の位置調節を可能とする。
【０００９】
本考案の更に有利な実施形態において、環状保持部は、関節部を介して回転可能、及び／または旋回可能に、湾曲部材アームの自由な端部に固定されており、従って、発光ダイオードの長手軸線方向に位置調節と並んで、それに加えて、発光ダイオード軸線の姿勢が、反射鏡軸線との関連において変化可能である。
【００１０】
有利には、反射鏡は、凹面鏡である。この反射鏡は、この反射鏡の外套部の上にソケットを備えており、このソケットから、２つのピン状接触子が突出し、これらピン状接触子が、ランプに電流を供給するために、従来の接点ソケット内へと差込み可能である。この目的で必要な電線は、一つまたは多数の湾曲部材を通って、案内され、これら湾曲部材が、反射鏡、および照明手段を支持し、もしくは、反射鏡ソケットとの結合状態にある。
【００１１】
レフレクターランプの更に別の実施形態において、反射鏡は、長手軸線方向に、位置調節可能に、環状保持部内において案内される。照明手段の収容のための上記の環状保持部の相応して、この環状保持部は、この反射鏡の収容のために、有利には、同様に、内側ねじを備えており、この内側ねじ内へと、反射鏡ソケット、または、反射鏡シェルの他の円筒形の部分領域が、特に、反射鏡開口部の領域内において、相応する外側ねじを介してねじ込み可能である。この反射鏡の長手軸線方向の位置調節は、その際に同様に、この反射鏡の回転によって行われる。
【００１２】
散光を回避するために、レフレクターランプの更に有利な実施形態において、照明手段の前に、付加的に、集光レンズ１１が設けられている。
【００１３】
次に、本考案によるレフレクターランプの有利な実施形態を透視図において図示し、且つ、詳しく説明する。
【考案を実施するための最良の形態】
【００１４】
図示されたレフレクターランプ１は、反射鏡２、および、反射鏡カバーの外側の設けられた、湾曲部材４を介して、この反射鏡２と結合された照明手段３を備えている。この照明手段３、ここで発光ダイオードは、この照明手段の保護のために、ロッド状の本体５内に設けられている。少なくともこのロッド状の本体の外套面の部分領域内において外側ねじを備えるこのロッド状の本体５は、湾曲部材アームの自由な端部部における環状保持部６内へと組み込まれ、この環状保持部が、この目的のために、内側ねじを備え付けられている。この環状保持部６の収容ねじ山部内における、このロッド状の本体５の回転によって、このロッド状の本体５内において設けられた照明手段３に位置は、この反射鏡２に関連して、無段階に長手軸線方向に、所望の集光状態に調節されるまで変更される。
【００１５】
反射鏡２は、中央でこの反射鏡２の外側カバーの上に設けられている、ソケット７を備えている。このソケット７から、２つのピン状接触子８が外へ向かって突出しており、これらピン状接触子を用いて、レフレクターランプ１は、電力供給のための適当な接点ソケット内へと差し込まれる。
図示されたレフレクターランプの場合、反射鏡開口部は、リング９によって把持され、このリング９の上に、湾曲部材４が載置している。この湾曲部材４の延長部内において、更に別の湾曲部材１０が、この反射鏡の外側シェルの周囲に張り渡されている。湾曲部材４および１０は、照明手段の電力供給のための必要な電気的な電線を案内している。湾曲部材４は、この湾曲部材の自由な端部において、ケーブル出口を備えており、このケーブル出口から、この電線が、ロッド状の本体５の背面側の端部内へと、発光ダイオードと接続するために導かれている。湾曲部材１０がこのソケット７と結合されており、従って、電線供給は、このソケット７からこの湾曲部材１０内へと行われる。図示されたレフレクターランプは、それに加えて、散光を回避するために、この照明手段３の前に設けられている集光レンズ１１を有している。
【００１６】
本考案の領域内において、他の照明手段を発光ダイオードとして使用することは同様に可能である。電力供給のための導線、並びに、相応するピン状接触子は、この発光ダイオードに適合された状態で構成され得る。
【図面の簡単な説明】
【００１７】
【図１】本考案によるレフレクターランプの有利な実施形態の透視図である。
【符号の説明】
【００１８】
１    レフレクターランプ
２    反射鏡
３    照明手段
４    湾曲部材
５    ロッド状の本体
６    環状保持部
７    ソケット
８    ピン状接触子
９    リング
１０  湾曲部材
１１  集光レンズ
【図１】
0003111922.tif 000003